(57)【要約】  【課題】  通常のＴＶ信号を毎秒３０コマ・ソースの映像信号と誤って検出することがないようにした２−２プルダウン検出回路を提供する。  【解決手段】  ＮＴＳＣ方式の毎秒６０コマのフィールド信号を入力して毎秒３０コマ・ソースの映像信号を検出する２−２プルダウン検出回路本体１２と、該２−２プルダウン検出回路本体１２の出力信号を２．５秒間隔で５回検出することを繰り返し、前記出力信号が２−２プルダウン検出信号であることが前記５回の内の３回以上のとき前記２−２プルダウン検出回路本体１２の前記２−２プルダウン検出信号を有効とし、３回未満のとき無効とする制御部１３とを有する。【選択図】  図１
2006121208.tif 000002
【特許請求の範囲】
【請求項１】
ＮＴＳＣ方式の毎秒６０コマのフィールド信号を入力して毎秒３０コマ・ソースの映像信号を検出する２−２プルダウン検出回路本体と、
該２−２プルダウン検出回路本体の出力信号を所定時間間隔でＮ回検出することを繰り返し、前記出力信号が２−２プルダウン検出信号であることが前記Ｎ回の内のＭ回（Ｍ＜Ｎ）以上のとき前記２−２プルダウン検出回路本体の前記２−２プルダウン検出信号を有効とし、Ｍ回未満のとき無効とする制御部と、
を有することを特徴とする２−２プルダウン検出回路。
【請求項２】
請求項１に記載の２−２プルダウン検出回路において、前記２−２プルダウン検出回路本体の出力信号は、
前記制御部が前記２−２プルダウン検出信号を有効としたとき、前記毎秒３０コマ・ソースの映像信号を順次走査信号に変換処理させるためのイネーブル信号として出力することを特徴とする２−２プルダウン検出回路。
【発明の詳細な説明】
【技術分野】
【０００１】
本発明は、ＮＴＳＣ方式の毎秒６０コマのフィールド信号から毎秒３０コマのシネマ映像をソースとする映像信号を検出する２−２プルダウン検出回路に関するものである。
【背景技術】
【０００２】
毎秒３０コマのシネマ映像をＮＴＳＣ方式の映像信号に変換する場合、当該毎秒３０コマのシネマ映像の１つのコマを奇数フィールド用と偶数フィールド用に２回読み出し、次の１つのコマも同様に読み出し、これを繰り返すことで、毎秒３０コマの奇数フィールドと毎秒３０コマの偶数フィールドからなる毎秒６０コマのフィールド信号に変換している。このような毎秒３０コマのシネマ映像信号の検出方法は２−２プルダウンと呼ばれている。
【０００３】
一方、プラズマディスプレイ表示装置（ＰＤＰ装置）では、順次走査（プログレッシブ）が行われるので、上記の毎秒６０コマのフィールド信号を毎秒６０コマのフレーム信号に変換する順次走査変換処理が必要となる。
【０００４】
この順次走査変換処理では、毎秒６０コマのフィールド信号を倍速変換して隣り合う２つのフィールドの画像を１/６０秒で重ね合わせることにより、毎秒６０コマのフレーム信号を得る。そして、ソース映像が毎秒３０コマのシネマ映像の場合には、その重ね合わせを同じコマから生成された奇数フィールドと偶数フィールドで行うと、原画と同等な画質の順次走査の信号に変換できる。
【０００５】
このようにＮＴＳＣ方式の毎秒６０コマのフィールド信号を順次走査の毎秒６０コマのフレーム信号に変換する順次走査変換処理では、毎秒６０のコマフィールド信号が毎秒３０コマ・ソースの映像信号か通常のＴＶ信号（ビデオ信号）かを検出する必要がある。
【０００６】
そこで従来では、毎秒６０コマのフィールド信号が毎秒３０コマ・ソースの映像信号か否かを検出するために、フィールド間差分値のパターン変化が大小大小・・・と繰り返されるか否かを検出（例えば特許文献１参照）していた。
【特許文献１】特開２００４−２６０７９４号公報
【発明の開示】
【発明が解決しようとする課題】
【０００７】
ところが、毎秒３０コマ・ソースの映像信号か否かをフィールド間差分値のパターン変化（大小大小・・・）で行う場合には、通常のＴＶ信号にもこれとよく似たパターン変化をする映像があり、特に通常のＴＶ信号を縦スクロールさせた場合には毎秒３０コマ・ソースの映像信号のパターン変化と区別がつかず、通常のＴＶ信号を毎秒３０コマ・ソースの映像信号と誤検出してしまうことが起こる。そして、このように通常のＴＶ信号を毎秒３０コマ・ソースの映像信号と誤って検出して順次走査変換を行った場合には、すだれ状の見苦しい映像となる。上記のような現象が短時間であれば、２−２プルダウン検出部が有する積分回路によりそれを吸収して毎秒３０コマ・ソースの映像信号と誤検出することはないが、長時間に亘る場合には毎秒３０コマ・ソースの映像信号と誤検出されてしまう。
【０００８】
本発明の目的は、通常のＴＶ信号を毎秒３０コマ・ソースの映像信号と誤って検出することがないようにした２−２プルダウン検出回路を提供することである。
【課題を解決するための手段】
【０００９】
請求項１にかかる発明の２−２プルダウン検出回路は、ＮＴＳＣ方式の毎秒６０コマのフィールド信号を入力して毎秒３０コマ・ソースの映像信号を検出する２−２プルダウン検出回路本体と、該２−２プルダウン検出回路本体の出力信号を所定時間間隔でＮ回検出することを繰り返し、前記出力信号が２−２プルダウン検出信号であることが前記Ｎ回の内のＭ回（Ｍ＜Ｎ）以上のとき前記２−２プルダウン検出回路本体の前記２−２プルダウン検出信号を有効とし、Ｍ回未満のとき無効とする制御部と、を有することを特徴とする。
【００１０】
請求項２にかかる発明は、請求項１に記載の２−２プルダウン検出回路において、前記２−２プルダウン検出回路本体の出力信号は、前記制御部が前記２−２プルダウン検出信号を有効としたとき、前記毎秒３０コマ・ソースの映像信号を順次走査信号に変換処理させるためのイネーブル信号として出力することを特徴とする。
【発明の効果】
【００１１】
本発明の２−２プルダウン検出回路によれば、２−２プルダウン検出回路本体の検出結果が所定時間間隔で所定回数だけ再度判定され、これが繰り返されるので、有効となった２−２プルダウン検出信号の信頼性が大きく向上し、通常のＴＶ信号を毎秒３０コマ・ソースの映像信号と誤って検出することがない。
【発明を実施するための最良の形態】
【００１２】
本実施例の２−２プルダウン検出回路では、通常のＴＶ信号あるいは毎秒３０コマ・ソースの映像信号が１つのＴＶ番組の中で変化することは考えにくいとの観点に立ち、２−２プルダウン検出回路本体による２−２プルダウン検出結果について、数十秒オーダーで繰り返される判定期間を設定し、その判定期間内に２−２プルダウン検出信号が所定回数検出されたときに、２−２プルダウン検出回路本体で検出された２−２プルダウン検出信号を有効として、毎秒３０コマ・ソースの映像信号用の順次走査変換を行い、それ以外では通常のＴＶ信号用の順次走査変換を行う。
【実施例】
【００１３】
図１は本発明の実施例のプルダウン検出回路１０およびその周辺のブロック図である。このプルダウン検出回路１０は、毎秒３０コマ・ソースの映像信号と通常のＴＶ信号（いずれもＮＴＳＣ方式の毎秒６０コマのフィールド信号信号）を入力する。
【００１４】
２−２プルダウン検出回路本体１２は毎秒６０コマのフィールド信号が毎秒３０コマ・ソースの映像信号か否かを１フィールド毎に検出し、積分回路１１によりその検出回数が予め決めた所定回数（閾値）に達したとき２−２プルダウン検出信号を出力する。
【００１５】
積分回路１１はアップダウンカウンタからなり、フィールド毎に、毎秒３０コマ・ソースの映像信号を検出したときはアップカウントし、検出しないときはダウンカウントし、アップカウントして閾値に達すると２−２プルダウン検出信号を出力する。。
【００１６】
制御部１３は２−２プルダウン検出回路本体１２の２−２プルダウン検出結果に基づき所定の判定期間内に２−２プルダウン検出信号が有効か無効かの判定を行い、これを繰り返す。
【００１７】
順次走査変換処理部１４は毎秒６０コマのフィールド信号を入力して、これが毎秒３０コマ・ソースの映像信号のときは毎秒３０コマ・ソースの映像信号用の順次走査変換を行い、通常のＴＶ信号のときは通常のＴＶ信号用の順次走査変換を行う。
【００１８】
スイッチ回路１５は制御部１３が２−２プルダウン検出信号が有効であると判定したときに、２−２プルダウン検出回路本体１２の積分回路１１から出力する２−２プルダウン検出信号をイネーブル信号として順次走査変換処理部１４に送り、その順次走査変換処理部１４を通常のＴＶ信号用から毎秒３０コマ・ソースの映像信号用に切り替えるが、制御部１３が２−２プルダウン検出信号が無効であると判定したときは、２−２プルダウン検出回路本体１２から出力する信号を順次走査変換処理部１４に送らず、その順次走査変換処理部１４は通常のＴＶ信号用のままとなる。
【００１９】
図２は図１の制御部１３による処理のフローチャートである。本実施例では、縦スクロールの表示期間が２０秒間前後の信号の場合には、４．５秒間隔で２−２プルダウン検出回路本体１２の検出結果を５回取り込み、これを繰り返す。そして、判定期間中に２−２プルダウン検出信号が３回検出されることにより、スイッチ回路１５をＯＮさせて、２−２プルダウン検出回路本体１２から出力する２−２プルダウン検出信号を有効にして順次走査変換処理部１４にイネーブル信号として送る。また、判定期間中に２−２プルダウン検出信号が３回検出されないことにより、スイッチ回路１５をＯＦＦさせて、２−２プルダウン検出回路本体１２から出力する信号を無効にする。
【００２０】
図２において、ステップＳ１では４．５秒毎の回数ｉ（＝０，１，２，３、４）をｉ＝０に設定し、第１回目〜第５回目の２−２プルダウン検出結果ｓ[０]〜ｓ[４]をすべて“０”に設定する。そして、ステップＳ２において２−２プルダウン検出信号が検出されたときは、ステップＳ４でｓ[ｉ]＝“１”とし、検出されないときはステップＳ３でｓ[ｉ]＝“０”とする。
【００２１】
そして、ステップＳ５でその“１”が３つ以上になれば、２−２プルダウン検出信号が３回検出されたとして、スイッチ回路１５がＯＮでなければステップＳ７でスイッチ回路１５をＯＮさせて、今回の２−２プルダウン検出信号を有効として順次走査変換処理部１４に送り、その順次走査変換処理部１４を毎秒３０コマ・ソースの映像信号用にする。ステップＳ１１においてｉ＝４になるまではｉが１ずつ増大して同様の処理が繰り返され、ｉ＝４になると、ステップＳ１３によりｉ＝０に戻って次の判定期間に移り、同様な処理が繰り返される。
【００２２】
一方、ステップ３による“０”が３つ以上になれば、ステップＳ８において２−２プルダウン検出信号が３回検出されなかったとして、スイッチ回路１５がＯＦＦでなければステップＳ１０でスイッチ回路１５をＯＦＦさせて、その順次走査変換処理部１４を通常のＴＶ信号用にする。
【００２３】
以上から、制御部１３における図２のフローチャートの処理により、一旦、スイッチ回路１５がＯＮして２−２プルダウン検出信号が有効になり順次走査変換処理部１４が２−２プルダウン用に切り替わった後、受信番組が切り替わり、入力する毎秒６０コマのフィールド信号が毎秒３０コマ・ソースの映像信号から通常のＴＶ信号に変化した場合には、スイッチ回路１５はＯＦＦとなり、順次走査変換処理部１４は通常のＴＶ信号用に復帰する。
【図面の簡単な説明】
【００２４】
【図１】実施例の２−２プルダウン処理回路およびその周辺のブロック図である。
【図２】図１の制御部の処理のフローチャートである。
【符号の説明】
【００２５】
１０：２−２プルダウン検出回路
１１：積分回路
１２：２−２プルダウン検出回路本体
１３：順次走査変換処理部
１４：制御部
１５：スイッチ回路
【図１】
2006121208.tif 000003
【図２】
2006121208.tif 000004